(57)【特許請求の範囲】
【請求項１】
空間を個室状に仕切る壁群を備えており、
前記壁群は室の天井まで届かない高さであり、前記壁群のうち全部又は一部の上端に、
当該壁群で囲われた個室の内部に向けて張り出す庇状部材を、壁の上端に沿って適宜範囲にわたって延びるように設けている、
という間仕切式の半開放個室装置であって、
前記庇状部材において個室内に向いた面は側断面凹状に湾曲した凹曲面となっており、この庇状部材が取り付けられた壁の上部に、光を庇状部材の凹曲面に向けて照射する照明装置が取り付けられており、更に、前記庇状部材は吸音構造になっており、その凹曲面に、前記灯具から照射された光を室内に向けて反射させる間接照明用の反射部が部分的に設けられている、
間仕切式の半開放個室装置。
【発明の詳細な説明】
【０００１】
【発明の属する技術分野】
本発明は、天井に届かない高さで且つ一般成人の背丈よりも高い程度の高さの壁群によって構成される間仕切式の半開放型個室装置に関するものである。
【０００２】
【従来の技術】
建物の広い空間を壁群で仕切って個室化する場合、建物の天井まで届く高さの壁群を使用することによって完全遮蔽型個室と成す場合と、天井に届かない高さの壁群を使用することによって上面が開放された半開放型個室と成す場合とがある。いずれにしても、出入り口には一般にドアを設けている。
【０００３】
【発明が解決しようとする課題】
完全遮蔽型個室の場合は、防音性は高いという利点を有する反面、施工に手間がかかるためにコストが嵩むという点や、例えば体育館のような天井が高いスペースには設置することができないと言った欠点がある。
【０００４】
他方、半開放型個室の場合は、長所と欠点が完全遮蔽型個室と逆になり、施工は容易でコストも抑制でき、かつ、天井の高さが高い建物内にも設置できる利点を有するが、音や光の遮断機能が低いという欠点がある。
【０００５】
本願発明は、間仕切式の半開放個室装置において、その利点は保持しつつ欠点を補うことを目的とするものである。
【０００６】
【課題を解決するための手段】
本願発明の半開放個室装置は、空間を個室状に仕切る壁群を備えている。そして、前記壁群は室の天井まで届かない高さであり、前記壁群のうち全部又は一部の上端に、当該壁群で囲われた個室の内部に向けて張り出す庇状部材を、壁の上端に沿って適宜範囲にわたって延びるように設けている。
【０００７】
加えて、前記庇状部材において個室内に向いた面は側断面凹状に湾曲した凹曲面となっており、この庇状部材が取り付けられた壁の上部に、光を庇状部材の凹曲面に向けて照射する照明装置が取り付けられており、更に、前記庇状部材は吸音構造になっており、その凹曲面に、前記灯具から照射された光を室内に向けて反射させる間接照明用の反射部が部分的に設けられている。
【０００８】
請求項３の発明は、室の空間を個室に仕切る壁群を備えており、前記壁群は室の天井まで届かない高さであり、この壁群のうち全部又は一部の上端に、当該壁群で囲われた個室の内部に向けて張り出す庇状部材を、壁の上端に沿って適宜範囲にわたって延びるように設けている、という間仕切式の半開放個室装置において、前記庇状部材において個室内に向いた面は側断面凹状に湾曲した凹曲面となっており、更に、前記庇状部材は吸音構造になっており、前記庇状部材の凹曲面に、灯具から照射された光を室内に向けて反射させる間接照明用の反射部が部分的に設けられている。
【０００９】
本発明に係る半開放個室装置は様々の用途に使用できる。例えば、オフィスに設置して事務用個室と成しても良いし、病院や診療所などの医療施設に設置して診察室や病室として使用したり、或いは、倉庫のような広い建物の内部に設置して簡易事務所等として使用することも可能である。
【００１０】
また、各種災害や大規模事故が発生した場合に体育館や大型テントのような広い空間内に設置し、簡易診察室や簡易病室、簡易手術室、簡易宿泊室等の緊急援助施設として使用することも可能である。半開放個室装置は間仕切式であって組み立て式となっているため、運搬・組み立ても簡単に行える。
【００１１】
【発明の作用・効果】
ところで、単に壁で空間を仕切っただけの半開放型個室の場合、個室内で照明装置を使用すると、その光が壁を超えて上方に拡散することにより、隣の部屋で照明を消していても明るいままとなって、隣の個室の使用者に迷惑をかけることがある。
【００１２】
これに対して本願発明によると、個室内に設けた照明装置で発した光が拡散することを庇状部材によって抑制することができるため、半開放型の個室でありながら、室内での照明装置の使用によって隣の個室に迷惑をかけることを防止又は著しく抑制することができる。また、庇状部材が個室にアクセントをつける装飾的効果を発揮することも期待される。
【００１３】
また、庇状部材が吸音機能を持っているため、半開放個室装置でありながら、室内で発生した音が外部に漏れることを抑制して静粛性を向上することができる。加えて、庇状部材が光反射機能を持っているため、室内を間接照明することができて、室内の雰囲気を和らげることができる。
【００１４】
更に、庇状部材を吸音手段と間接照明手段とに兼用できるため、吸音機能と間接照明機能とを併有した半開放個室装置でありながら、構造を簡単化できる利点がある。
【００１５】
【発明の実施形態】
次に、本発明の実施形態を図面に基づいて説明する。
【００１６】
(1).第１実施形態（図１〜図６）
図１〜図６では第１実施形態を示している。このうち図１は外側から見た概略斜視図、図２は室内を全体的に見た概略斜視図、図３及び図４は室内の部分的な斜視図、図５は要部の一部破断平面図、図６は図５のVI−VI視断面図である。
【００１７】
本実施形態の半開放個室装置は、病院や診療所のような医療施設における空間の個室化に適用したもので、例えば２．５ｍ前後×３．５ｍ前後程度の面積の個室１に仕切って、各個室１を診察室や病室等の各種用途に使用できるようにしたものである。なお、本実施形態では複数の個室１を連続させているが、単一の個室１のみでも良いことはいうまでもない。
【００１８】
(1)-1.概要
各個室１は、平面視で個室１の並び方向に沿って平行に延びるフロント壁２及びバック壁３と、これらフロント壁２及びバック壁３の相互間に接続された複数のサイド壁４とを備えている。隣合った個室１は１つのサイド壁４を共用している。
【００１９】
各壁２，３，４は、主要部材としてそれぞれ複数枚のパネル５を備えており、フロント壁２とバック壁３とには出入り口を設けて、これを水平回動自在なドア６で塞いでいる。符号７は笠木、符号８は巾木を示している。
【００２０】
なお、ドア６はフロント壁２とバック壁３とのうち片方だけに設けても良いし、いずれか一方又は両方の出入り口をドア無しのオープン構造とすることも可能である。
【００２１】
サイド壁４において、隣合ったパネル５は支柱９に接続されており、この支柱９を天井１０に突っ張らせている。他方、フロント壁２及びバック壁３も支柱（縦フレーム）９を備えており、各支柱９をパネル５よりも上方に突出させてその上端を上桟１２で連結することにより、フロント壁２及びバック壁３の上端に開放式のランマ部を設けている。
【００２２】
なお、フロント壁２及びバック壁３における上桟１２を天井１０に固定しても良い。また、各壁２，３，４は互いに連結されることによって自立しているので、サイド壁４の支柱９は必ずしも天井１０に突っ張らせる必要はないが、天井１０に突っ張らせると安定性を向上させることができる。
【００２３】
詳細は略すが、各壁２，３，４の支柱９には、個室１の内部に露出した係合穴が上下適宜間隔で多数形成されており、この係合穴に取り付けたブラケット１３によって例えば机天板１４を支持することができる（図２，３参照）。もちろん、棚板のような他の部材を取付けることも可能である。
【００２４】
また、例えば図２に示すように、各壁２，３，４は、上下に隣接したパネル５の間から個室１の内部に部分的に露出する横桟１５を内蔵しており、この横桟１５に、ハンガー掛け具１６や絵画１７などの各種の物品・部材類を取り付けることができる。
【００２５】
机天板１４を取付けているサイド壁４には、机天板１４よりもやや高い高さで水平状に延びる配線ダクト１８を装着しており、この配線ダクト１８に、照明用のスイッチ類や電源コンセント、或いは電話のコネクタなどの配電操作部１９（図３参照）を設けている。
【００２６】
また、図３に示すように、サイド壁４のうち机天板１４の上方部位には、押しピンで書類を止めることのできるピンナップボード２０や、小物入れ２１ａを着脱自在に取り付けできるハンガーボード２１が配置されている。
【００２７】
本実施形態では、個室１を診察室に使用した例を示しており、このため、個室１には診察台２２を設けている。診察台２２が設置されている側のサイド壁４には、横桟１５を利用して患者の寝起き補助用掴みバー２３を取り付けている。敢えて述べるまでもないが、個室１の内部には、例えば図２に示すように、袖キャビネット２４やワゴン２５など、必要に応じて各種の家具や装置、器材類を設置できる。
【００２８】
各サイド壁４は例えば一般成人の背丈と同じ程度かそれよりもやや高い程度の高さ（例えば１．６〜１．８ｍ程度）に設定されており、また、フロント壁２及びバック壁３はサイド壁４よりもやや高い高さ（例えば２．０〜２．４ｍ程度）になっている。
【００２９】
そして、これら各サイド壁４の上端に、個室１の内部に向けて張り出した庇状部材２６をねじ止め等の適宜の手段で取り付けている。庇状部材２６はサイド壁４の略全長にわたって延びており、フロント壁２及びバック壁３の上端からはみ出ないように設定されている。
【００３０】
(1)-2.庇状部材及び照明
庇状部材２６のうち個室１の内部に向いた面は側断面円弧状の凹状面となっている。また、庇状部材２６は吸音機能を備えている。
【００３１】
庇状部材２６に吸音機能を持たせる手段としては、無数の吸音穴を設けた吸音板で全体を構成したり、基板や機枠に吸音材を貼着又は装着するなど、様々の構造を採用することができる。また、庇状部材２６は必ずしも板状である必然性はなく、例えばブロック状とすることも可能である。
【００３２】
この庇状部材２６は、吸音効果を期待できると共に、人に圧迫感を与えない張り出し寸法に設定すべきであり、本実施形態の場合、例えば、３０〜１００ｃｍ程度の寸法が想定される。
【００３３】
庇状部材２６は、高さがある程度以上に高い場合は人に圧迫感を与えることは少ないので、張り出し寸法を大きくしても良い。また、庇状部材２６はねじ等によってサイド壁４に固定しても良いし、支柱９に取り付けたブラケットを介して倒れ不能に保持しても良い。
【００３４】
各サイド壁４の上部には照明装置２７を取り付けている。この照明装置２７は、水平状に延びる灯具（蛍光灯）２８と、灯具２８を下方から覆うシェード２９とを備えており、サイド壁４の支柱９を利用して取付けている。そして、庇状部材２６の凹曲面には、灯具２８の光を反射させて個室１の内部を間接照明するための帯状の反射材３０を部分的に設けている。
【００３５】
反射材３０は、適当な幅寸法で庇状部材２６の長手方向に長く延びており、庇状部材２６の円弧方向に沿った複数の箇所に複数条配置している。反射材３０の素材としては、例えば薄いステンレス板、アルミ層を蒸着した合成樹脂板又は金属板、或いは、アルミ箔のような金属箔を張った合成樹脂又は金属等の板など、様々のものを選択することができる。
【００３６】
庇状部材２６への反射材３０の取り付け手段としては、接着材による接着、粘着材による粘着、両面テープによる接着、ねじ止め、磁石による固定、嵌め込み、フックを利用した引っ掛け係止など様々の手段を採用できる。
【００３７】
反射材３０が過度に反射し過ぎて人に眩しさを感じさせる場合は、艶消しされたものを使用することも可能である。シェード２９を半透明な合成樹脂製とすることも可能である。特に、机天板１４の上方に配置されたシェード２９を半透明とすると、机上を明るく照らすことができて好ましい。
【００３８】
(1)-3.まとめ
以上の構成において、個室１は半開放型でありながら、個室１の内部で発生した人の話し声などの音の一部が庇状部材２６で吸音されるため、個室１間に音が伝わることを抑制して、静粛性を高めることができる。個室１の壁面の全部又は一部を吸音性パネルで構成すると、静粛性を一層向上させることができる。
【００３９】
また、庇状部材２６を間接照明用の反射材として兼用できるため、構造を複雑化することなく個室１の内部を間接照明することができる。
【００４０】
また、庇状部材２６は個室１に向いた面が円弧状に形成されているため、吸音機能が高くなると共に、灯具２８の光を個室１の内部に満遍なく反射させることができる。
【００４１】
更に、庇状部材２６を設けていない場合、サイド壁４に灯具２８を設けていると、その灯具２８の光が拡散して隣の個室１に漏れてしまい、このため、隣の個室１の患者等に不愉快な思いをさせることがあるが、庇状部材２６を設けると、灯具２８の光が隣の個室１の室内に漏れることを大幅に抑制できるため、照明に起因した不愉快さを防止または著しく抑制することができる。
【００４２】
ところで、病院や診療所では、カーテンや衝立だけで空間を仕切って診察スペースとしていることがあるが、この場合、カーテンや衝立は遮蔽機能が低いため、患者に不愉快な思いをさせることがある。これに対して本願発明に係る半開放個室装置を診察室として使用すると、設置が簡単な間仕切式でありながら、診察スペースの遮蔽性を高めて患者のプライバシー保護に寄与できる。
【００４３】
本実施形態のように、庇状部材２６が取り付けられたサイド壁４の高さをフロント壁２及びバック壁３よりも低くして、庇状部材２６がフロント壁２及びバック壁３よりも突出しないように設定すると、サイド壁４を必要以上に高くしてコストをかけることなく、照明装置２７からの光がフロント壁２及びバック壁３から外側（例えば廊下）に漏れることを抑制できる利点がある。
【００４４】
(2).第２〜第４実施形態（図７〜図９）
図７〜図９では、反射材３０の配置態様の別例を示している。これら各図は庇状部材２６を展開して斜め下方から見た状態の図であり、このうち図７で示す第２実施形態では、帯状に形成された反射材３０の群を縦縞の状態で庇状部材２６の下面に多条に設けている。
【００４５】
また、図８に示す第３実施形態では、帯状に形成された多数の反射材３０の群を傾斜状の姿勢にして庇状部材２６に設けており、更に、図９に示す第４実施形態では、反射材３０の群を水玉模様状にして庇状部材２６に設けている。これらの各実施形態から容易に推測できるように、反射材３０の形状や配置態様などは自由に選択することができる。
【００５２】
(3).第５実施形態（図10）
図１０では、照明装置２７の別例である第５実施形態を示している。（Ａ）は側断面図、（Ｂ）は（Ａ）の平面図である。この実施形態では、シェード２９を蝶番３１によって下向き回動自在に構成するか、又は二点鎖線で示すように取り外し式としたもので、このため灯具（球）２８の交換を簡単に行える。
【００５４】
(4).第６実施形態（図11）
図１１に示す第６実施形態は、図示しないガイド手段（レール手段）によって反射材３０を庇状部材２６の下面に上下動自在に取り付けたもので、反射材３０は、当該反射材３０から下向きに延びる操作部材（図示せず）によって上下移動させることができる。
【００５５】
個室１を例えば診察室に適用した場合、患者の診察に際しては明るく照明してデスクワークのときは照明を落としたいというように、室内の明るさを変えたい場合があるが、この図１１のように構成すると、反射材３０を移動調節することにより、個室１の室内の明るさを調節することができる。
【００５６】
(5).第７実施形態（図12）
図１２に示す第７実施形態は、個室１を１人用の病室に適用した例であり、この例では、個室１の間口が狭いことから、ベッド３３の上方にだけ庇状部材２６を配置している。壁３，４の高さがドア６よりもかなり高い場合は、両サイド壁４に庇状部材２６を設けても差し支えない。
【００５９】
(7).その他
本発明は、上記の実施形態の他にも様々に具体化することができる。例えば全ての壁に庇状部材を設けても良い。
【図面の簡単な説明】
【図１】第１実施形態の半開放個室装置を外側から見た概略斜視図である。
【図２】室内を全体的に見た概略斜視図である。
【図３】室内の部分的な斜視図である。
【図４】室内の部分的な斜視図である。
【図５】要部の一部破断平面図である。
【図６】図５のVI−VI視断面図である。
【図７】第２実施形態を示す図である。
【図８】第３実施形態を示す図である。
【図９】第４実施形態を示す図である。
【図10】第５実施形態を示す図である。
【図11】第６実施形態を示す図である。
【図12】第７実施形態を示す図である。
【符号の簡単な説明】
１  個室
２，３，４  壁
５  パネル
６  ドア
９  支柱
２６  庇状部材
２７  照明装置
２８  灯具（蛍光灯）
２９  シェード
３０  反射材
【図１】
0003940025.tif 000002
【図２】
0003940025.tif 000003
【図３】
0003940025.tif 000004
【図４】
0003940025.tif 000005
【図５】
0003940025.tif 000006
【図６】
0003940025.tif 000007
【図７】
0003940025.tif 000008
【図８】
0003940025.tif 000009
【図９】
0003940025.tif 000010
【図１０】
0003940025.tif 000011
【図１１】
0003940025.tif 000012
【図１２】
0003940025.tif 000013